(57)【要約】【課題】  ２波以上の励起光を用いた場合の利得平坦性を簡易に改善することができるラマン増幅器を提供する。【解決手段】  ラマン増幅器１は、入力端１１に入力した信号光をラマン増幅用光ファイバ２０においてラマン増幅して出力端１２から出力するものであって、光ファイバ２０に加えて、励起部３１、励起部３２、モニタ部４１、モニタ部４２、励起光パワー制御部５０、光カプラ６１、光カプラ６２、光カプラ７１および光カプラ７２を備える。制御部５０は、モニタされた入力信号光パワーＰinおよび出力信号光パワーＰoutに基づいて増幅利得が所定の利得Ｇとなるように短波長側励起光パワーＰＳを制御するとともに、この制御中の短波長側励起光パワーＰＳに基づき上記(4)式および(5)式に従って長波長側励起光パワーＰＬを制御する。【選択図】  図１
2007094289.tif 000002
【特許請求の範囲】
【請求項１】
複数波長の励起光を用いて多チャネルの信号光をラマン増幅するためのラマン増幅器であり、
入力信号光のチャネル当たりの平均パワーをモニタするモニタ部を有し、
前記複数波長のうちの所定の２波長の励起光のパワーを制御する励起光パワー制御部を有し、
前記励起光パワー制御部は、
前記平均パワー毎にラマン増幅器を動作させる際の所望のラマン増幅利得を設定する利得データと、
信号光チャネル間で利得が平坦化する条件下で、前記平均パワー毎に前記所望のラマン増幅利得毎に前記複数波長のうちの所定の２波長の励起光のパワーをそれぞれ所定の値に設定された励起光パワーデータとを保持し、
前記所定の２波長の励起光のパワーをモニタされた前記平均パワーに応じた前記所定の値に制御する
ことを特徴とするラマン増幅器。
【請求項２】
複数波長の励起光を用いて多チャネルの信号光をラマン増幅するためのラマン増幅器であり、
入力信号光パワーをモニタする入力モニタ部と増幅された信号光出力パワーをモニタする増幅出力モニタ部とを有し、
前記複数波長のうちの所定の２波長の励起光のパワーを制御する励起光パワー制御部を有し、
前記励起光パワー制御部は、
入力信号光のチャネル当たりの平均パワー毎に前記複数波長のうちの所定の２波長の励起光のパワーの比のデータを信号光チャネル間で利得が平坦化する条件下で設定したパワー比データを保持し、
前記２波長のうち短波長の励起光のパワーを、モニタされた前記入力信号光パワーとモニタされた前記出力信号光パワーに基づいて増幅利得が所定の利得となるように制御するとともに、
前記２波長のうち長波長の励起光のパワーを、制御中の前記短波長の励起光のパワーに前記モニタされた入力信号光パワーから算出された入力信号光のチャネル当たりの平均パワーに該当する前記パワー比データを乗じた値になるように制御する
ことを特徴とするラマン増幅器。
【請求項３】
複数波長の励起光を用いて多チャネルの信号光をラマン増幅するためのラマン増幅器であり、
入力信号光パワーＰinをモニタする入力モニタ部と増幅された信号光出力パワーＰoutをモニタする増幅出力モニタ部とを有し、
前記複数波長のうちの所定の２波長の励起光のパワー（長波長側の励起光パワーをＰＬ、短波長側の励起光パワーをＰＳとする）を制御する励起光パワー制御部を有し、
前記励起光パワー制御部は、
前記ＰＳを、モニタされた前記Ｐinとモニタされた前記Ｐoutに基づいて増幅利得が所定の利得Ｇとなるように制御するとともに、
前記ＰＬを、制御中の前記ＰＳに基づき「ＰＬ＝Ｒ×ＰＳ＋ｂ」（Ｒ、ｂは、利得を平坦にする係数であり、Ｐin、チャネル数、Ｇより導かれる。）となるように制御する
ことを特徴とするラマン増幅器。
【請求項４】
前記所定の２波長は、波長の差が１００ｎｍ以下であり、前記複数の励起光波長の最短波長と最長波長の波長差が１００ｎｍを超える場合は、もう一組の別の所定の２波長を設定することを特徴とする請求項１記載のラマン増幅器。
【請求項５】
入力信号光のチャネル数をモニタし、そのモニタ結果に基づいて、前記所望の増幅利得を変更することを特徴とする請求項１〜３のいずれか１項に記載のラマン増幅器。
【請求項６】
前記Ｒに関する式「Ｒ＝Ａ×Ｇ２＋（ａ×Ｐ'in＋ｂ）×Ｇ＋ｃ×Ｐ'in＋ｄ」を設定して、この式にＰ'in（Ｐinをチャネル数で割って導出されたチャネル数当たりの平均パワー）とＧを代入して、前記Ｒを算出することを特徴とする請求項３に記載のラマン増幅器。
【発明の詳細な説明】
【技術分野】
【０００１】
本発明は、複数波長の励起光を用いて多チャネルの信号光をラマン増幅するためのラマン増幅器に関するものである。
【背景技術】
【０００２】
光伝送システムにおいて信号光を光増幅する光増幅器として、Ｅｒ元素が光導波領域に添加された光ファイバを光増幅媒体として含むＥＤＦＡ（Erbium-DopedFiber Amplifier）が用いられている。ＥＤＦＡは、Ｃバンド（１５３０ｎｍ〜１５６５ｎｍ）またはＬバンド（１５６５ｎｍ〜１６２５ｎｍ）に利得帯域を有している。Ｃバンド用ＥＤＦＡおよびＬバンド用ＥＤＦＡの双方を併用しても、利得帯域幅が６０ｎｍ〜７０ｎｍ程度であり、光増幅可能な信号光波長帯域が制限される。
【０００３】
一方、ラマン増幅器は、誘導ラマン散乱を用いて信号光を光増幅するものであり、石英系光ファイバにおけるラマン増幅の場合には、励起光波長より１００ｎｍだけ長い波長を中心として利得帯域を有する。したがって、ラマン増幅器は、利得帯域を任意に設定することができる。例えば、特許文献１には、ラマン増幅器における励起光波長の配置および制御方法について記載されている。
【０００４】
ところで、近年、多波長の信号光を高密度に多重化して伝送を行うＤＷＤＭ（Dense Wavelength Division Multiplexing）伝送システムとは別に、低価格の光部品で構成され波長間隔２０ｎｍと粗密度で波長分割多重伝送を行うＣＷＤＭ（Coarse Wavelength DivisionMultiplexing）伝送システムが新しいシステムとして注目されている。ＣＷＤＭ伝送システムは、低コスト化が大前提で、粗密度な波長間隔以外に精度やＬＤの温度制御や波長フィルタの厳密性なども緩和されており、メトロ・アクセス系伝送への適用に向けて開発が進められている。
【０００５】
このようなＣＷＤＭ伝送システムでは、信号光波長を４波以上配置した場合、これらの信号光をＥＤＦＡで光増幅することが困難であるのに対して、励起光波長の配置により任意に増幅波長および増幅帯域を選択することができるラマン増幅器が有利になる。
【特許文献１】特開２０００−９８４３３号公報
【発明の開示】
【発明が解決しようとする課題】
【０００６】
このようなラマン増幅器において、入力パワーに対して出力パワーを制御する方法は、ＥＤＦＡと同じ方法が取られており、入出力モニタに基づいて制御が行われてきた。しかし、ラマン増幅器では、励起光が信号光を増幅するだけでなく、或る励起光が他の励起光も増幅してしまう。そのため、入出力信号光パワーのみを用いて励起光パワーを制御するだけでは、利得平坦度の劣化を招き、通信システム内の受信機に弊害をもたらす恐れがある。
【０００７】
また、上記問題を解決するための手段として、ラマン利得係数を制御式内パラメータとして計算する方法が発明されているが、制御式内での計算が複雑になってしまい、また、ラマン利得係数のラマン増幅用ファイバ長手方向のバラツキなども考えられるため、高機能を有する演算回路が必要となり、高コスト化に繋がる。
【０００８】
本発明は、上記問題点を解消する為になされたものであり、２波以上の励起光を用いた場合の利得平坦性を簡易に改善することができるラマン増幅器を提供することを目的とする。
【課題を解決するための手段】
【０００９】
本発明に係るラマン増幅器は、複数波長の励起光を用いて多チャネルの信号光をラマン増幅するためのラマン増幅器であり、入力信号光のチャネル当たりの平均パワーをモニタするモニタ部を有し、複数波長のうちの所定の２波長の励起光のパワーを制御する励起光パワー制御部を有し、励起光パワー制御部は、平均パワー毎にラマン増幅器を動作させる際の所望のラマン増幅利得を設定する利得データと、信号光チャネル間で利得が平坦化する条件下で、平均パワー毎に所望のラマン増幅利得毎に複数波長のうちの所定の２波長の励起光のパワーをそれぞれ所定の値に設定された励起光パワーデータとを保持し、所定の２波長の励起光のパワーをモニタされた平均パワーに応じた所定の値に制御することを特徴とする。
【００１０】
他の本発明に係るラマン増幅器は、複数波長の励起光を用いて多チャネルの信号光をラマン増幅するためのラマン増幅器であり、入力信号光パワーをモニタする入力モニタ部と増幅された信号光出力パワーをモニタする増幅出力モニタ部とを有し、複数波長のうちの所定の２波長の励起光のパワーを制御する励起光パワー制御部を有し、励起光パワー制御部は、入力信号光のチャネル当たりの平均パワー毎に複数波長のうちの所定の２波長の励起光のパワーの比のデータを信号光チャネル間で利得が平坦化する条件下で設定したパワー比データを保持し、２波長のうち短波長の励起光のパワーを、モニタされた入力信号光パワーとモニタされた出力信号光パワーに基づいて増幅利得が所定の利得となるように制御するとともに、２波長のうち長波長の励起光のパワーを、制御中の短波長の励起光のパワーにモニタされた入力信号光パワーから算出された入力信号光のチャネル当たりの平均パワーに該当するパワー比データを乗じた値になるように制御することを特徴とする。
【００１１】
更に他の本発明に係るラマン増幅器は、複数波長の励起光を用いて多チャネルの信号光をラマン増幅するためのラマン増幅器であり、入力信号光パワーＰinをモニタする入力モニタ部と増幅された信号光出力パワーＰoutをモニタする増幅出力モニタ部とを有し、複数波長のうちの所定の２波長の励起光のパワー（長波長側の励起光パワーをＰＬ、短波長側の励起光パワーをＰＳとする）を制御する励起光パワー制御部を有し、励起光パワー制御部は、ＰＳを、モニタされたＰinとモニタされたＰoutに基づいて増幅利得が所定の利得Ｇとなるように制御するとともに、ＰＬを、制御中のＰＳに基づき「ＰＬ＝Ｒ×ＰＳ＋ｂ」（Ｒ、ｂは、利得を平坦にする係数であり、Ｐin、チャネル数、Ｇより導かれる。）となるように制御することを特徴とする。
【００１２】
所定の２波長は、波長の差が１００ｎｍ以下であり、複数の励起光波長の最短波長と最長波長の波長差が１００ｎｍを超える場合は、もう一組の別の所定の２波長を設定するのが好適である。入力信号光のチャネル数をモニタし、そのモニタ結果に基づいて、所望の増幅利得を変更するのが好適である。また、Ｒに関する式「Ｒ＝Ａ×Ｇ２＋（ａ×Ｐ'in＋ｂ）×Ｇ＋ｃ×Ｐ'in＋ｄ」を設定して、この式にＰ'in（Ｐinをチャネル数で割って導出されたチャネル数当たりの平均パワー）とＧを代入して、Ｒを算出するのが好適である。
【発明の効果】
【００１３】
本発明に係るラマン増幅器では、２波以上の励起光を用いた場合の利得平坦性を簡易に改善することができる。
【発明を実施するための最良の形態】
【００１４】
以下、添付図面を参照して、本発明を実施するための最良の形態を詳細に説明する。なお、図面の説明において同一の要素には同一の符号を付し、重複する説明を省略する。
【００１５】
図１は、本実施形態に係るラマン増幅器１の構成図である。この図に示されるラマン増幅器１は、入力端１１に入力した信号光をラマン増幅用光ファイバ２０においてラマン増幅して出力端１２から出力するものであって、光ファイバ２０に加えて、励起部３１、励起部３２、モニタ部４１、モニタ部４２、励起光パワー制御部５０、光カプラ６１、光カプラ６２、光カプラ７１および光カプラ７２を備える。
【００１６】
入力端１１から出力端１２へ向かう信号光伝搬経路上に順に、光カプラ７１、光カプラ６１、光ファイバ２０、光カプラ６２および光カプラ７２が設けられている。励起部３１は光カプラ６１に接続され、励起部３２は光カプラ６２に接続され、モニタ部４１は光カプラ７１に接続され、また、モニタ部４２は光カプラ７２に接続されている。
【００１７】
励起部３１，３２は、入力端１１に入力した信号光を光ファイバ２０においてラマン増幅するための複数波長の励起光を出力する。光カプラ６１は、光カプラ７１から出力されて到達した信号光を光ファイバ２０へ出力し、励起部３１から出力された励起光をも光ファイバ２０へ出力する。光カプラ６２は、光ファイバ２０から出力されて到達した信号光を光カプラ７２へ出力し、励起部３２から出力された励起光をも光ファイバ２０へ出力する。
【００１８】
光カプラ７１は、入力端１１に入力した信号光の一部を分岐してモニタ部４１へ出力し、残部を光カプラ６１へ出力する。モニタ部４１は、光カプラ７１から到達した信号光を入力して、入力信号光パワーをモニタし、或いは、入力信号光のチャネル当たりの平均パワーをモニタする。光カプラ７２は、光カプラ６２から到達した信号光の一部を分岐してモニタ部４２へ出力し、残部を出力端１２へ出力する。モニタ部４２は、光カプラ７２から到達した信号光を入力して、光ファイバ２０においてラマン増幅されて出力端１２から出力される信号光のパワーをモニタする。
【００１９】
制御部５０は、モニタ部４１，４２によるモニタの結果に基づいて、励起部３１，３２から出力される各波長の励起光のパワーを制御する。
【００２０】
このラマン増幅器１は以下のように動作する。励起部３１から出力された励起光は、光カプラ６１を経て、光ファイバ２０に順方向に供給される。また、励起部３２から出力された励起光は、光カプラ６２を経て、光ファイバ２０に逆方向に供給される。入力端１１に入力した信号光は、光カプラ７１および光カプラ６１を経て光ファイバ２０に入力され、この光ファイバ２０においてラマン増幅される。そして、光ファイバ２０においてラマン増幅された光は、光カプラ６２および光カプラ７２を経て出力端１２から出力される。
【００２１】
入力端１１から光カプラ６１に向かう信号光の一部は、光カプラ７１により分岐されてモニタ部４１により受光されて、入力信号光パワーがモニタされ、或いは、入力信号光のチャネル当たりの平均パワーがモニタされる。また、光カプラ６２から出力端１２へ向かう信号光の一部は、光カプラ７２により分岐されてモニタ部４２により受光されて、出力信号光パワーがモニタされる。モニタ部４１，４２によるモニタの結果は制御部５０に入力され、この制御部５９により、励起部３１，３２から出力される各波長の励起光のパワーが制御される。
【００２２】
なお、図１には、光ファイバ２０に対して励起光が順方向および逆方向の双方から供給される双方向励起の場合について示したが、光ファイバ２０に対して励起光が逆方向のみから供給される逆方向励起であってもよいし、光ファイバ２０に対して励起光が順方向のみから供給される順方向励起であってもよい。逆方向励起の場合には励起部３１および光カプラ６１は不要であり、順方向励起の場合には励起部３２および光カプラ６２は不要である。
【００２３】
ところで、光ファイバ２０のラマン利得係数をｇｒ／Ａeffとし、光ファイバ２０に入力される励起光のパワーをＰＰ［Ｗ］とし、光ファイバ２０の長さをＬとし、光ファイバ２０の励起光波長での実効的な長さをＬeffとし、光ファイバ２０の励起光波長での損失をαＰとすると、ラマン増幅器１のラマン利得Ｇraman［ｄＢ］は下記(1)式および(2)式で表される。すなわち、ラマン増幅器１のラマン利得Ｇraman［ｄＢ］は、励起光のパワーＰＰ［Ｗ］に対して比例関係にある。この比例関係は励起光波長に問わず有効である。２波長以上の励起光を用いた場合でも所定の利得を満たすためには、ほぼ比例した関係となる。
【数１】
2007094289.tif 000003
【数２】
2007094289.tif 000004
【００２４】
図２は、所要励起光パワーとラマン利得との関係を示す図である。この図は、入力信号光パワーが−３ｄＢｍ，０ｄＢｍおよび＋３ｄＢｍそれぞれの場合について、長波長側励起光パワーとラマン利得との関係、および、短波長側励起光パワーとラマン利得との関係を示す。この図から判るように、ラマン利得［ｄＢ］は、長波長側励起光パワー［Ｗ］に対して略線形関係にあり、短波長側励起光パワー［Ｗ］に対しても略線形関係にある。また、入力信号光パワーに対して短波長側励起光パワーの傾きの変化が大きく、したがって、入力信号光パワーに依存した短波長側励起光パワーのパラメータを制御式に組み込む必要があることがわかる。
【００２５】
図３は、短波長側励起光パワーＰＳと長波長側励起光パワーＰＬとの比ＲＰＬ／ＰＳ（＝ＰＬ／ＰＳ）とラマン利得［ｄＢ］との関係を示す図である。この図３は図２を基にしたものである。この図から判るように、短波長側励起光パワーＰＳと長波長側励起光パワーＰＬの比ＲＰＬ／ＰＳは、ラマン利得［ｄＢ］に対して略線形に変化している。また、入力信号光パワー［ｄＢｍ］の各値に対してほぼ並行な関係である。したがって、比ＲＰＬ/ＰＳは、ラマン利得［Ｂ］に対して、例えば、下記(3)式に示すような多項式などで簡易に計算することができる。ここで、Ｇnetはラマン利得［ｄＢ］を示し、Ｐinは入力パワー［ｄＢｍ］ を示し、Ａ，ａ，ｂ，ｃ，ｄは係数を示す。
【数３】
2007094289.tif 000005
【００２６】
短波長側励起光パワーＰＳおよび長波長側励起光パワーＰLを決定する際に、ラマン利得からそれぞれの所要励起光パワーを決定するのではなく、何れか一方の励起光パワーをフィードバック制御させ、短波長側励起光パワーと長波長側励起光パワーとの比ＲＰＬ/ＰＳを用いることで、他方の励起光パワーを決定する。このようにすることにより、短波長側励起光パワーおよび長波長側励起光パワーを簡易に制御することができ、利得平坦性を改善することが可能となる。短波長側励起光パワーＰＳ［Ｗ］と長波長側励起光パワーＰＬ［Ｗ］との間の制御式は、下記(4)式になる。ここで、ｅは或る係数を示す。
【数４】
2007094289.tif 000006
【００２７】
図４は、実際に比ＲＰＬ/ＰＳを利用して各波長の励起光のパワーを決定したときのラマン利得Ｇnetを示す図である。ここでは、ラマン増幅器の構成を逆方向励起とし、入力信号光パワーを０ｄＢｍ／ｃｈとして、４波の信号光をラマン増幅器に入射させ、励起光波長を１４２０ｎｍおよび１４６０ｎｍとした。ラマン増幅の目標利得を、３ｄＢ，５ｄＢ，８ｄＢ，１０ｄＢおよび１１ｄＢの各値とした。また、目標利得になるように短波長（１４２０ｎｍ）の励起光パワーを自動制御し、短波長側励起光パワーと長波長側励起光パワーとの比を短波長励起光パワーに掛けることにより、長波長（１４６０ｎｍ）の励起光パワーを決定するよう制御した。この図に示されるように、良好な信号光利得平坦性が得られた。
【００２８】
上記の例では、短波長側の励起光を１波とし、長波長側の励起光を１波として、計２波長の励起光を用いた。励起光が３波長以上である場合、各波長の励起光のパワーを以下のように制御すればよい。Ｎ波長の励起光のうち、第ｎ波長λｎの励起光のパワーをＰｎとする。ここで、Ｎは３以上の整数であり、ｎは１以上Ｎ以下の整数であり、「λ１＜λ２＜…＜λｎ＜λｎ＋１＜…＜λＮ」なる関係を満たす。このとき、まず、目標利得になるように最短波長λ１の励起光のパワーＰ１を決定し、その後、下記(5)式に従って第ｎ波長λｎの励起光のパワーＰｎから第(ｎ＋１)波長λｎ＋１の励起光のパワーＰｎ＋１を決定すればよい。ここで、比ＲＰｎ＋１／Ｐｎは、信号光利得を平坦にするような第ｎ波長λｎの励起光パワーＰｎと第(ｎ＋１)波長λｎ＋１の励起光パワーＰｎ＋１との比を表し、ｆｎは係数を表す。２波以上の励起光が存在する場合も、少なくとも１つ以上の長波長側の励起光パワーの制御方法として上記(3)式のような比を用いて制御する方法は有効である。
【数５】
2007094289.tif 000007
【００２９】
上記(3)式では、比ＲＰＬ/ＰＳはラマン利得Ｇnetの２次式で表された。一般に、比ＲＰＬ/ＰＳは、ラマン利得Ｇnetの多項式で表すことができ、３次以上の多項式で表されてもよい。実測により短波長側励起光パワーＰＳと長波長側励起光パワーＰＬとの比（ＰＬ／ＰＳ）を求め、入力信号光パワーＰinの各値について比（ＰＬ／ＰＳ）と利得Ｇとの関係を求めて、これに基づいて比ＲＰＬ/ＰＳの式を求めることができる。
【００３０】
比ＲＰＬ/ＰＳをラマン利得Ｇnetの２次式で表す場合、以下のようにして求める。まず、２次の係数は、入力信号光パワーＰinを変化させても略一定の固定値であるので、入力信号光パワーＰinに依らない一定係数Ａで固定する。１次の係数は、入力信号光パワーＰinの１次式として「ａ×Ｐin＋ｂ」とする。また、０次の係数は、入力信号光パワーＰinの１次式として「ｃ×Ｐin＋ｄ」とする。このようにして、比ＲＰＬ/ＰＳをラマン利得Ｇnetの２次式で表す式として上記(3)式が得られる。
【００３１】
また、比ＲＰＬ/ＰＳをラマン利得Ｇnetの３次式で表す場合、以下のようにして求める。まず、３次の係数は、入力信号光パワーＰinを変化させても略一定の固定値であるので、入力信号光パワーＰinに依らない一定係数Ａ'で固定する。２次の係数は、入力信号光パワーＰinの２次式として「ａ'×Ｐin２＋ｂ'×Ｐin＋ｃ'」とする。１次の係数は、入力信号光パワーＰinの１次式として「ｄ'×Ｐin＋ｅ'」とする。また、０次の係数は、入力信号光パワーＰinの１次式として「ｆ'×Ｐin＋ｇ'」とする。このようにして、比ＲＰＬ/ＰＳをラマン利得Ｇnetの３次式で表す式として下記(6)式が得られる。
【数６】
2007094289.tif 000008
【００３２】
上記実施例では、制御部５０は、モニタされた入力信号光パワーＰinおよび出力信号光パワーＰoutに基づいて増幅利得が所定の利得Ｇとなるように短波長側励起光パワーＰＳを制御するとともに、この制御中の短波長側励起光パワーＰＳに基づき上記(4)式および(5)式に従って長波長側励起光パワーＰＬを制御するものである。ここで、所定の利得は、一定の利得あるいは任意の所望の利得としてよく、予め決められた条件で設定される。条件は、制御部５０であっても、制御部５０以外の部分に設けてもよい。入力信号光のチャネル当たりの平均パワーに対応して決める必要はない。また、利得の制御は、入力信号光パワーと出力信号光パワーに基づいて行われる。多チャネルの信号光パワーで評価する。どれか１チャネルではなく、全チャネル、又は、複数のチャネルの信号光パワーで評価する。励起光のパワー比の際の入力信号光のチャネル当たりの平均パワーの場合は、チャネル数当たりに換算する。
【００３３】
これに対して、計算式を用いるのではなく、予め用意されたテーブルに基づいて短波長側励起光パワーＰＳおよび長波長側励起光パワーＰＬを制御してもよい。すなわち、制御部５０は、入力信号光のチャネル当たりの平均パワー毎に複数波長のうちの所定の２波長の励起光のパワーの比のデータを信号光チャネル間で利得が平坦化する条件下で設定したパワー比データを保持し、これら２波長のうち短波長の励起光のパワーを、モニタされた入力信号光パワーとモニタされた出力信号光パワーに基づいて増幅利得が所定の利得となるように制御するとともに、これら２波長のうち長波長の励起光のパワーを、制御中の短波長の励起光のパワーにモニタされた入力信号光パワーから算出された入力信号光のチャネル当たりの平均パワーに該当するパワー比データを乗じた値になるように制御することとしてもよい。
【００３４】
或いは、制御部５０は、入力信号光のチャネル当たりの平均パワー毎にラマン増幅器を動作させる際の所望のラマン増幅利得を設定する利得データと、信号光チャネル間で利得が平坦化する条件下で、平均パワー毎に所望のラマン増幅利得毎に複数波長のうちの所定の２波長の励起光のパワーをそれぞれ所定の値に設定された励起光パワーデータとを保持し、所定の２波長の励起光のパワーをモニタされた平均パワーに応じた所定の値に制御することとしてもよい。所定の利得は、一定の利得あるいは、任意の所望の利得としてよく、入力信号光パワー毎に予め決められている。また、チャネル数の限定を入れてないが、チャネル数の限定を入れて、チャネル数毎にデータを作ってもよい。
【００３５】
なお、所定の励起光の２波長は、波長の差が１００ｎｍ以下であり、複数の励起光波長の最短波長と最長波長の波長差が１００ｎｍを超える場合は、もう一組の別の所定の２波長を設定するのが好ましい。また、入力信号光のチャネル数をモニタし、そのモニタ結果に基づいて、所望の増幅利得を変更するのも好ましい。
【図面の簡単な説明】
【００３６】
【図１】本実施形態に係るラマン増幅器１の構成図である。
【図２】所要励起光パワーとラマン利得との関係を示す図である。
【図３】短波長側励起光パワーＰＳと長波長側励起光パワーＰＬとの比ＲＰＬ／ＰＳ（＝ＰＬ／ＰＳ）とラマン利得［ｄＢ］との関係を示す図である。
【図４】実際に比ＲＰＬ/ＰＳを利用して各波長の励起光のパワーを決定したときのラマン利得Ｇnetを示す図である。
【符号の説明】
【００３７】
１…ラマン増幅器、１１…入力端、１２…出力端、２０…ラマン増幅用光ファイバ、３１，３２…励起部、４１，４２…モニタ部、５０…励起光パワー制御部、６１，６２，７１，７２…光カプラ。
【図１】
2007094289.tif 000009
【図２】
2007094289.tif 000010
【図３】
2007094289.tif 000011
【図４】
2007094289.tif 000012